【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
ロッカーピボットを有するロッキングビームと；
少なくとも1本のシリンダと；
少なくとも1本のピストンであって、前記ピストンはそれぞれのシリンダ内に収容され、これによって前記ピストンがそれぞれの前記シリンダ内で実質的に直線的に往復運動するように構成されたピストンと；
近位端部と遠位端部を有する少なくとも1個の継ぎ手アセンブリ（coupling assembly）であって、前記近位端部がピストン棒を介して前記ピストンに接続され、前記遠位端部が前記ロッキングビームに端ピボットで接続されると共に、これによって前記ピストンの直線運動が前記ロッキングビームの回転運動に変換されるように構成された継ぎ手アセンブリと；
前記ピストンのピストン棒にシール可能に接続されるシールであって、転動形ダイアフラムであるシールとを備える；
スターリングサイクルマシンのためのロッキングビーム駆動機構。
【請求項２】
請求項1に記載のロッキングビーム駆動機構において；
前記ロッキングビームが連接棒（connecting rod）を経由してクランク軸に結合し；
それによって前記ロッキングビームの回転運動が前記クランク軸に受け渡されることを特徴とする
ロッキングビーム駆動機構。
【請求項３】
請求項1に記載のロッキングビーム駆動機構において；
前記シリンダはさらに閉鎖端と開放端を有し；
前記開放端がさらに前記シリンダに接続されたリニア軸受を有し；
前記リニア軸受が前記継ぎ手アセンブリを収容するための開口部を有することを特徴とする
ロッキングビーム駆動機構。
【請求項４】
請求項３に記載のロッキングビーム駆動機構において、前記継ぎ手アセンブリはさらに；
リンクロッドを有し；
前記ピストン棒と前記リンクロッドが結合手段によってともに結合されると共に、前記結合手段が前記リニア軸受の下に位置することを特徴とする
ロッキングビーム駆動機構。
【請求項５】
請求項４に記載のロッキングビーム駆動機構において；
前記結合手段がたわみ継手であることを特徴とする
ロッキングビーム駆動機構。
【請求項６】
請求項４に記載のロッキングビーム駆動機構において；
前記結合手段がローラ軸受であることを特徴とする
ロッキングビーム駆動機構。
【請求項７】
請求項４に記載のロッキングビーム駆動機構において；
前記結合手段がヒンジであることを特徴とする
ロッキングビーム駆動機構。
【請求項８】
請求項４に記載のロッキングビーム駆動機構において；
前記結合手段が屈曲部（flexure）であることを特徴とする
ロッキングビーム駆動機構。
【請求項９】
請求項４に記載のロッキングビーム駆動機構において；
前記結合手段がジャーナル軸受ジョイントであることを特徴とする
ロッキングビーム駆動機構。
【請求項１０】
少なくとも1つのロッキング駆動機構であって、
ロッカーピボットを有するロッキングビームと、
少なくとも１本のシリンダと、
少なくとも１本のピストンであって、前記ピストンがそれぞれのシリンダ内に収容され、これによって前記ピストンが前記それぞれのシリンダ内で実質的に直線的に往復運動できるように構成されたピストンと、
近接端部と遠位端部を有する少なくとも１個の継ぎ手アセンブリであって、前記近接端部が前記ピストンに接続されると共に、前記遠位端部が端ピボットによって前記ロッキングビームに接続されており、これによって前記ピストンの直線運動が前記ロッキングビームの回転運動に変換されるように構成された継ぎ手アセンブリと、
前記ロッキングビームを収容すると共に、前記継ぎ手アセンブリの第１の部分を収容するクランク室と、
連接棒経由で前記ロッキングビームに結合したクランク軸であって、これによって前記ロッキングビームの回転運動が前記クランク軸に受け渡されるように構成されたクランク軸と、
前記少なくとも1本のシリンダ、前記少なくとも1本のピストンおよび前記継ぎ手アセンブリの第2の部分を収容する作業領域と、
前記クランク室から前記作業領域を密閉するためのシールであって、転動形ダイアフラムであるシールとを有する、少なくとも１つのロッキング駆動機構；
を備えるスターリングサイクルマシン。
【請求項１１】
請求項１０に記載のスターリングサイクルマシンにおいて、前記継ぎ手アセンブリはさらに；
ピストン棒と；
リンクロッドを有し；
前記ピストン棒と前記リンクロッドが結合手段によってともに結合されることを特徴とする
スターリングサイクルマシン。
【請求項１２】
請求項１０に記載のスターリングサイクルマシンにおいて；
前記クランク室内に潤滑流体ポンプをさらに有することを特徴とする
スターリングサイクルマシン。
【請求項１３】
請求項１２に記載のスターリングサイクルマシンにおいて；
前記潤滑流体ポンプがポンプ駆動アセンブリによって駆動された機械的な潤滑流体ポンプであり、前記ポンプ駆動アセンブリが前記クランク軸に接続されると共に、前記クランク軸によって駆動されることを特徴とする
スターリングサイクルマシン。
【請求項１４】
請求項１２に記載のスターリングサイクルマシンにおいて；
前記潤滑流体ポンプが電気的な潤滑流体ポンプであることを特徴とする
スターリングサイクルマシン。
【請求項１５】
請求項１０に記載のスターリングサイクルマシンにおいて；
前記クランク軸に接続されたモータをさらに有することを特徴とする
スターリングサイクルマシン。
【請求項１６】
請求項１０に記載のスターリングサイクルマシンにおいて；
前記クランク軸に接続された発電機をさらに有することを特徴とする
スターリングサイクルマシン。
【請求項１７】
少なくとも2個のロッキング駆動機構であって、
ロッカーピボットを有するロッキングビームと、
２本のシリンダと、
２本のピストンであって、前記ピストンがそれぞれのシリンダ内に収容され、これによって前記ピストンが前記それぞれのシリンダ内で実質的に直線的に往復運動できるように構成されたピストンと、
近接端部と遠位端部を有する2個の継ぎ手アセンブリであって、前記近接端部が前記ピストンに接続されると共に、前記遠位端部が端ピボットによって前記ロッキングビームに接続されており、これによって前記ピストンの直線運動が前記ロッキングビームの回転運動に変換されるように構成される継手アセンブリとを有するロッキング駆動機構と；
前記ロッキングビームを収容すると共に、前記継ぎ手アセンブリの第１の部分を収容するクランク室と；
連接棒経由で前記ロッキングビームに結合したクランク軸であって、これによって前記ロッキングビームの回転運動が前記クランク軸に受け渡されるように構成されたクランク軸と；
前記クランク軸と前記ロッキングビームと前記継ぎ手アセンブリの第１の部分を潤滑する潤滑流体を送り込むための前記クランク室内の潤滑流体ポンプと；
前記シリンダ、前記ピストンおよび前記継ぎ手アセンブリの第２の部分を収容する作業領域と；
前記クランク室から前記作業領域を密閉するための転動形ダイアフラムと；
を備えるスターリングサイクルマシン。
【請求項１８】
請求項１７に記載のスターリングサイクルマシンにおいて、前記継ぎ手アセンブリはさらに；
ピストン棒と；
リンクロッドを有し；
前記ピストン棒と前記リンクロッドが結合手段によってともに結合されることを特徴とする
スターリングサイクルマシン
【請求項１９】
請求項１７に記載のスターリングサイクルマシンにおいて、前記結合手段がたわみ継手であることを特徴とする
スターリングサイクルマシン
【請求項２０】
請求項１７に記載のスターリングサイクルマシンにおいて、前記結合手段がローラ軸受であることを特徴とする
スターリングサイクルマシン